(57)【要約】【課題】荷扱い・保管時の破損を防ぎ、被梱包物の組み立て作業性及び荷扱い性に優れた梱包装置を提供すること。【解決手段】本発明の梱包装置は、一方の対向する側壁にＰＰバンド７を通す下部通し穴２０が設けられたトレイ状の下部外箱８と、下部外箱８に設けた下部通し穴２０に対応した位置に凹状の切り欠き溝１２が設けられた下部緩衝材４ａ（４ｂ）と、上部外箱９と、上部緩衝材５ａ（５ｂ、５ｃ）とを備え、下部外箱に下部緩衝材を載置したときに切り欠き溝によって形成される空間に、内部が連通して開口する連通部を有する筒状の部材を設けた。【選択図】図１
2011157128.tif 000002
【特許請求の範囲】
【請求項１】
一方の対向する側壁にＰＰバンドを通す下部通し穴が設けられたトレイ状の下部外箱と、前記下部外箱に設けた下部通し穴に対応した位置に凹状の切り欠き溝が設けられた下部緩衝材と、上部外箱と、上部緩衝材とを備え、前記下部外箱に前記下部緩衝材を載置したときに前記切り欠き溝によって形成される空間に、内部が連通して開口する連通部を有する筒状の部材を設けたことを特徴とする梱包装置。
【請求項２】
前記下部通し穴を設けた方向と同一方向に開口するように前記上部外箱にＰＰバンドを通す上部通し穴と、前記上部通し穴に対応した位置であって前記上部緩衝材に設けた凹状の切り欠き溝とを備え、前記上部外箱に前記上部緩衝材を嵌め込むことによって前記上部外箱と前記切り欠き溝とによって形成される空間に、内部が連通して開口する連通部を有する筒状の部材を設けたことを特徴とする請求項１に記載の梱包装置。
【請求項３】
前記下部外箱または前記上部外箱に設けられた一対の下部通し穴または上部通し穴を形成する側壁に、前記筒状の部材の端部を接して形成することを特徴とする請求項１または２に記載の梱包装置。
【発明の詳細な説明】
【技術分野】
【０００１】
本発明は、分離型空気調和機の室外機等の重量物の梱包に用いられる梱包装置に関するものである。
【背景技術】
【０００２】
従来この種の梱包装置としては、図６、図７に示すようにトレイ状に形成された下部外箱１８の内側左右に、被梱包物１の下部を支持する下部緩衝材１６ａ、１６ｂを配置し、その上に袋６を被せた被梱包物１を載置し、被梱包物１の上部には角隅部を衝撃等から保護する一対の上部緩衝材１７ａ、１７ｂを配置し、トレイ状に形成された上部外箱１９を被せて外側にＰＰバンド７を巻き付けて結束し梱包を完成させるものであった（例えば、特許文献１参照）。
【先行技術文献】
【特許文献】
【０００３】
【特許文献１】特開２００２−２５５２７６号公報
【発明の概要】
【発明が解決しようとする課題】
【０００４】
しかしながら、前記従来の構成では、ＰＰバンド７は下部外箱の下を通り外装面に露出しているため、積み込みや積み下ろし作業による荷扱い時に結束バンドが引っ掛かり溶着部の接合外れなどやバンド切れが発生し、再び巻き付ける必要が有るため荷扱い作業を低下させてしまう課題を有していた。
【０００５】
また、ＰＰバンド７の巻き付け作業をする際には、重量の重たい室外機を持ち上げて巻き付ける必要があるが、ＰＰバンド７は比較的柔らかい材質であるため通し難く、途中で引っ掛かりが発生してしまい、梱包時の作業性に課題を有していた。
【０００６】
本発明は、前記従来の課題を解決するものであり、荷扱い・保管時の破損を防ぎ、被梱包物の組み立て作業性及び荷扱い性に優れた梱包装置を提供することを目的とする。
【課題を解決するための手段】
【０００７】
前記従来の課題を解決するために、本発明の梱包装置は、一方の対向する側壁にＰＰバンドを通す下部通し穴が設けられたトレイ状の下部外箱と、下部外箱に設けた下部通し穴に対応した位置に凹状の切り欠き溝が設けられた下部緩衝材と、上部外箱と、上部緩衝材とを備え、下部外箱に下部緩衝材を載置したときに切り欠き溝によって形成される空間に、内部が連通して開口する連通部を有する筒状の部材を設けたことにより、下部外箱内に挿入した筒状の部材にＰＰバンドを通して、下部外箱の底面の外装面にＰＰバンドが露出しない構造となり、積み込みや積み下ろし作業による荷扱い時にバンドが引っ掛かること無いため、バンド切れを防止する効果が得られ品質を向上すると共に作業性を向上することができる。
【０００８】
さらには、ＰＰバンドは下部外箱内の筒状の部材を通すため、重量の重たい被梱包物（例えば、室外機）であっても、被梱包物を持ち上げずにＰＰバンドの巻き付け作業ができる。また、筒状の部材の内部は突起の無い平滑面で構成されているため、途中で引っ掛かり無く通せるので、梱包作業全体の作業性を向上することができる。
【発明の効果】
【０００９】
本発明は、荷扱い・保管時の破損を防ぎ、被梱包物の組み立て作業性及び荷扱い性に優れた梱包装置を提供することができる。
【図面の簡単な説明】
【００１０】
【図１】本発明の実施の形態１における梱包装置の構成図
【図２】同実施の形態１における要部構成図
【図３】同実施の形態１における筒状部材の斜視図
【図４】ＡＡ断面図
【図５】他の実施の形態における梱包装置の構成図
【図６】従来の梱包装置の構成図
【図７】従来の梱包装置の構成図
【発明を実施するための形態】
【００１１】
第１の発明の梱包装置は、一方の対向する側壁にＰＰバンドを通す下部通し穴が設けられたトレイ状の下部外箱と、下部外箱に設けた下部通し穴に対応した位置に凹状の切り欠き溝が設けられた下部緩衝材と、上部外箱と、上部緩衝材とを備え、下部外箱に下部緩衝材を載置したときに切り欠き溝によって形成される空間に、内部が連通して開口する連通部を有する筒状の部材を設けたことにより、下部外箱内に挿入した筒状の部材にＰＰバンドを通して、下部外箱の底面の外装面にＰＰバンドが露出しない構造となり、積み込みや積み下ろし作業による荷扱い時にバンドが引っ掛かること無いため、バンド切れを防止する効果が得られ品質を向上すると共に作業性を向上することができる。
【００１２】
さらには、ＰＰバンドは下部外箱内の筒状の部材を通すため、重量の重たい被梱包物（例えば、室外機）であっても、被梱包物を持ち上げずにＰＰバンドの巻き付け作業ができる。また、筒状の部材の内部は突起の無い平滑面で構成されているため、途中で引っ掛かり無く通せるので、梱包作業全体の作業性を向上することができる。
【００１３】
第２の発明の梱包装置は、特に第１の発明において、下部通し穴を設けた方向と同一方向に開口するように上部外箱にＰＰバンドを通す上部通し穴と、上部通し穴に対応した位置であって上部緩衝材に設けた凹状の切り欠き溝とを備え、上部外箱に上部緩衝材を嵌め込むことによって上部外箱と切り欠き溝によって形成される空間に、内部が連通して開口する連通部を有する筒状の部材を設けたことにより、さらに上部においても筒状の部材の内部にＰＰバンドを通すため、上部外箱の外装面にＰＰバンドが露出しない構造となるため、積み込みや積み下ろし作業による荷扱い時にバンドが引っ掛かること無いため、バンド切れを防止する効果を向上することができる。
【００１４】
第３の発明の梱包装置は、特に第１または第２の発明において、下部外箱または上部外箱に設けられた一対の下部通し穴または上部通し穴を形成する側壁に、筒状の部材の端部を接して形成することにより、筒状の部材の端部で前記下部通し穴または前記上部通し穴の周囲を形成する側壁を支えるため、ＰＰバンドを持って積み込みや積み下ろし作業をする際にも、強度が強くなり、作業性が向上する。
【００１５】
以下、本発明の実施の形態について、図面を参照しながら説明する。なお、この実施の形態によって本発明が限定されるものではない。
【００１６】
（実施の形態１）
図１は、本実施の形態１における梱包装置の構成図である。本実施の形態では、被梱包物には空気調和機の室外ユニット１を用いて説明するが、これに限定されるものではなく、その他の重量物であっても本発明を適用することができる。
【００１７】
図１において梱包装置の下部は、四辺を折り曲げて形成したダンボール等からなるトレイ状の下部外箱８と、下部外箱８に嵌め込んで載置される下部緩衝材４ａおよび４ｂとで形成されている。なお、本実施の形態では下部緩衝材を下部緩衝材４ａと４ｂの２つに分割して構成したが、これに限定されることはなく、分割することなく一つの緩衝材として構成してもよいし、２分割よりも多く（例えば、３分割）分割しても問題はない。
【００１８】
また、梱包装置の上部は、四辺にフラップを備えて下部を開放した上部外箱９と、上部外箱９と被梱包物１との間に介在するように配される上部緩衝材５ａ、５ｂ、５ｃが設けられる。なお、下部緩衝材４ａ、４ｂと同様、上部緩衝材５ａ、５ｂ、５ｃの分割数は本実施の形態に限定されるものではない。また、室外ユニット１には埃などから保護するために袋６が被せられている。
【００１９】
次に、梱包装置の下部の構成について説明する。図２は、本実施の形態における梱包装置の下部の構成図である。図２に示すように、下部外箱８の一方の対向する側壁にはＰＰバンド７を通すための下部通し穴２０が複数個設けられており、本実施の形態では３対の下部通し穴２０が設けられている。もちろん、下部通し穴２０の個数については、本実施の形態に限定されるものではない。
【００２０】
また、下部緩衝材４ａ、４ｂが下部外箱８の左右に嵌め込んで載置されている。そして一対の下部通し穴２０において、一方の下部通し穴から他方の下部通し穴に連通するように、下部緩衝材４ａ、４ｂに凹状の切り欠き溝１２を設けている。なお、切り欠き溝１２は、それぞれの下部通し穴２０に対応して設けられ、本実施の形態では３対の下部通し穴２０を設けているので、切り欠き溝１２を３条設けている。
【００２１】
そして、下部外箱８に下部緩衝材４ａ、４ｂを載置したときに、切り欠き溝１２と下部外箱８との間に形成される空間に、筒状の部材１０を設けている。図３は、筒状の部材１０の斜視図である。図３に示すように、筒状の部材１０は、板状の包装部材を断面が略長方形状となるように折り曲げ、テープ１１等で固定して形成する。このように形成することで、容易に内部が連通して開口する連通部２１を有する構成の筒状の部材１０を得ることができる。
【００２２】
図４は、ＡＡ断面図である。図４に示すように、連通部２１の開口部と下部通し穴２０とを一致し、一方の下部通し穴から他方の下部通し穴まで連通部２１で囲まれた経路が形成される。また、図２に示すように、筒状の部材１０の端部２２は、下部通し穴２０の周囲を形成する側壁に接するようにはめ込まれている。このようにすることで、筒状の部材１０のがたつきを無くすことができる。
【００２３】
そして、室外ユニット１を上部外箱９、上部緩衝材５ａ・５ｂ・５ｃ、下部緩衝材４ａ・４ｂ、下部外箱８、筒状の部材１０で形成される梱包装置で梱包した後は、ＰＰバンド７で上下方向に梱包装置の外側に巻きつけて結束し、梱包を完成させる。このとき、ＰＰバンド７は、一方の下部通し穴２０から挿入し、筒状の部材１０の連通部２１を通って、他方の下部通し穴２０から出てくる構成になっている。
【００２４】
このように構成することによって、ＰＰバンド７は下部外箱８に設けた筒状の部材１０の内部を通るため、下部外箱８の外装面に露出しない構成となり、積み込みや積み下ろし作業による荷扱い時にＰＰバンド７が引っかかることが無く、ＰＰバンド７が切れたり、損傷したりすることを防止し、作業性が向上する。
【００２５】
また、ＰＰバンド７を巻きつけるときには、被梱包物１を持ち上げることなく、下部外箱８に設けた下部通し穴２０に挿入して巻きつけることができるので、巻きつけ作業の作
業性が向上する。また、筒状の部材１０に設けた連通部２１内は、突起の無い平滑面で構成されているため、途中で引っ掛からず、梱包作業全体の作業性を向上させることができる。
【００２６】
図５は、他の実施の形態における梱包装置の構成図である。図１に示す実施の形態とは、梱包装置の上部が異なるが、同じ部位については同じ符号を付して、その説明を省略する。図５に示すように、梱包装置の上部が、四辺を折り曲げて形成したダンボール等からなるトレイ状の上部外箱１３と、上部外箱１３に嵌め込んで載置される上部緩衝材１５ａおよび１５ｂとで形成されている。
【００２７】
そして、上部緩衝材１５ａ、１５ｂが上部外箱１３の左右に嵌め込んで載置されており、上部外箱１３には、下部外箱８と同じように、上部通し穴２３が設けられている。そして、一対の上部通し穴２３において、一方の上部通し穴から他方の上部通し穴に連通するように、上部緩衝材１５ａ、１５ｂに凹状の切り欠き溝１２を設けている。なお、切り欠き溝１２は、それぞれの上部通し穴２３に対応して設けられ、本実施の形態では３対の上部通し穴２３を設けているので、切り欠き溝１２を３条設けている。
【００２８】
そして、上部外箱１３に上部緩衝材１５ａ、１５ｂを載置したときに、切り欠き溝１２と上部外箱１３との間に形成される空間に、図３に示す筒状の部材１０を設けている。筒状の部材１０は下部に設けた部材と同じであるため説明は省略する。
【００２９】
そして、梱包装置の下部と同じく、連通部２１の開口部と上部通し穴２３とを一致させ、一方の下部通し穴から他方の下部通し穴まで連通部２１で囲まれた経路が形成される。
【００３０】
そして、室外ユニット１を上部外箱９、上部緩衝材１５ａ・１５ｂ、下部緩衝材４ａ・４ｂ、下部外箱８、筒状の部材１０で形成される梱包装置で梱包した後は、ＰＰバンド７で上下方向に梱包装置の外側に巻きつけて結束し、梱包を完成させる。このとき、ＰＰバンド７は、下部においては、一方の下部通し穴２０から挿入し、筒状の部材１０の連通部２１を通って、他方の下部通し穴２０から出てくる構成となり、上部においては、一方の上部通し穴２３から挿入し、筒状の部材１０の連通部２１を通って、他方の上部通し穴２３から出てくる構成になっている。
【００３１】
このように構成することによって、ＰＰバンド７は下部だけでなく上部においても、上部外箱１３の外装面に露出することがないので、ＰＰバンド７の損傷を確実に防止することができる。
【産業上の利用可能性】
【００３２】
本発明にかかる梱包装置は、非梱包物を空気調和機の室外ユニットに適用するだけではなく、その他の重量物においても適用することができる。
【符号の説明】
【００３３】
１  被梱包物
４ａ、４ｂ  下部緩衝材
５ａ、５ｂ、５ｃ  上部緩衝材
６  袋
７  ＰＰバンド
８  下部外箱
９  上部外箱
１０  筒状の部材
１１  テープ
１２  切欠き溝
１３  上部外箱
１５ａ、１５ｂ  上部緩衝材
２０  下部通し穴
２１  連通部
２３  上部通し穴
【図１】
2011157128.tif 000003
【図２】
2011157128.tif 000004
【図３】
2011157128.tif 000005
【図４】
2011157128.tif 000006
【図５】
2011157128.tif 000007
【図６】
2011157128.tif 000008
【図７】
2011157128.tif 000009